(57)【要約】【課題】  閉弁状態にあっても少量の冷媒を通過させる電磁弁の改良を図る。【解決手段】  電磁弁１は、パイプ状の弁本体１０と弁シート部材２０を有し、弁室１２を構成する。電磁コイルユニット３０は、通電時に吸引子５０を磁化し、プランジャ７０を引き寄せる。プランジャ７０と一体の弁ユニット１００は、弁体１１０の外周に嵌装される円筒状フィルタ１２０と弁体１１０の内径部に挿入される第１の円盤状フィルタ１４０とテーパー状の絞り溝１５２と、第２の円盤状フィルタ１７０を有し、閉弁時に弁室１２内の冷媒をパイプＰ２側へ流す。冷媒中の異物は除去され、気泡も微細化されて、騒音の発生は防止される。【選択図】        図１
2006010245.tif 000002
【特許請求の範囲】
【請求項１】
電磁コイルにより弁体を弁座部に接離させることにより弁の開閉を行う電磁弁であって、
上記弁体は、冷媒の流入側と流出側とに連通する流路を有し、上記流路は、弁座側に開口する内径穴と、当該内径穴と弁体外周部とに連通する横穴を備え、上記横穴の外側に取付けられる円筒状フィルタと、上記横穴の内側に配設される第１の円盤状フィルタと、上記内径穴の開口部に配設される第２の円盤状フィルタと、上記第１の円盤状フィルタと上記第２の円盤状フィルタとの間に設けられる冷媒の絞り通路を備える電磁弁。
【請求項２】
上記絞り通路は、上記第１の円盤状フィルタから上記第２の円盤状フィルタに向けて先が広がるテーパー状の溝である請求項１記載の電磁弁。
【請求項３】
上記絞り通路は、上記第１の円盤状フィルタから上記第２の円盤状フィルタに向けて先が狭まるテーパー状の溝である請求項１記載の電磁弁。
【発明の詳細な説明】
【技術分野】
【０００１】
本発明は、空気調和機の冷凍サイクル等に使用する電磁弁に関する。
【背景技術】
【０００２】
従来、弁本体に設けたプランジャチューブの周囲にソレノイドコイルを設け、プランジャチューブ内において弁本体側に可動吸引子、他側にプランジャを設け、可動吸引子とプランジャ間を開弁ばねで付勢された状態で、プランジャと弁体をカシメにより結合して収納した通電時閉弁型電磁弁が知られている。
【０００３】
かかる従来の電磁弁を冷凍サイクルで除湿運転を行う空気調和機に用いる場合に、除湿運転の絞りとして弁体に小さな孔を設けることが行われる。しかしながら、弁体にこのような孔を設けた場合には、絞り作用に伴って冷媒流動音が発生する場合があり、発生した場合には騒音となるという問題点があった。
【０００４】
そこで、この騒音を低減する技術が下記の特許文献１に開示されている。この特許文献１には、除湿モードを有する空気調和機で除湿用絞り弁として使用される絞り装置として、絞り通路における冷媒通過音を低減し、長時間の使用においても除湿運転性能を維持できる絞り装置が示されている。
しかしながら、この装置においても冷媒通過音の低減について期待される効果をあげていないのが現状である。
【０００５】
そこで、本発明者らは、上記従来技術を考慮しつつ、更に冷媒通過音の低減を目的として技術の開発をおこない、弁体に気泡を細分化する部材を一体に組付けると共に、細分化された気泡が再び大きく成長しないようにして、冷媒流動音を低減し、騒音の発生を抑制した電磁弁を提供することを目的として、特願２００３−１２４７８３号「電磁弁」を先願として提案した。
【特許文献１】特開２００２−３１０５４０号公報
【発明の開示】
【発明が解決しようとする課題】
【０００６】
本発明は、上述した電磁弁を更に改良した電磁弁を提供するものである。
【課題を解決するための手段】
【０００７】
本発明の電磁弁を構成する弁体は、基本的手段として、冷媒の流入側と流出側とに連通する流路を有し、弁体の流路は、弁座側に開口する内径穴と、内径穴と弁体外周部とに連通する横穴を備え、横穴の外側に取付けられる円筒状フィルタと、横穴の内側に配設される第１の円盤状フィルタと、内径穴の開口部に配設される第２の円盤状フィルタと、第１の円盤状フィルタと第２の円盤状フィルタの間に設けられる冷媒の絞り通路を備える。
【０００８】
そして、冷媒の絞り通路は、第１の円盤状フィルタから第２の円盤状フィルタに向けて先が広がるテーパー状の溝である。
また、冷媒の絞り通路は、第１の円盤状フィルタから第２の円盤状フィルタに向けて先が狭まるテーパー状の溝とすることもできる。
【発明の効果】
【０００９】
本電磁弁は、冷媒中の異物を除去すると共に、冷媒中の気泡を微細に分散して気泡の破裂音や衝突音の発生を防止することができる。
【発明を実施するための最良の形態】
【００１０】
図1は、本発明の電磁弁の全体構造を示す説明図である。
全体を符号１で示す電磁弁は、弁本体１０を有する。弁本体１０は、段付のパイプ状の部材であって、大径部に弁室１２が形成され、開口部にはシート部材２０が溶接手段Ｗ１によって固着される。
【００１１】
弁本体１０の側面には、冷媒が通過する第１のパイプＰ１が固着され、シート部材２０には、第２のパイプＰ２が固着される。
弁本体１０の小径部１４の外周部には、電磁コイルユニット３０が取付けられる。
【００１２】
電磁コイルユニット３０はボビン３４を有し、ボビン３４の周囲にコイル３２が巻装してある。コイル３２に対して、リード線３６を介して通電される。
電磁コイルユニット３０の外周部には、ハウジング４０が設けられ、ハウジング４０の開口部に弁本体１０の小径部１４を貫通させることで、電磁コイルユニット３０が組付けられる。
【００１３】
ハウジング４０には、リベット４２を介してストッパ部材４４が取付けられる。このストッパ部材４４は、弾性をもつ材料でつくられていて、その自由端部に形成された凸部を、弁本体１０の小径部１４の外周部に形成された凹部１６に係合することにより、電磁コイルユニット３０を弁本体１０に固定する。
【００１４】
弁本体１０の小径部１４の弁室１２に対向する位置に吸引子５０が挿入され、カシメ部Ｋ１により固定される。
小径部１４の内部には、プランジャ７０が挿入される。プランジャ７０の中央の開口部には、弁ユニット１００の弁体１１０が挿入され、カシメ部Ｋ２により一体に形成される。
プランジャ７０と吸引子５０の間には、コイルスプリング６０が配設され、プランジャ７０を吸引子５０から離れる方向に付勢する。
【００１５】
すなわち、電磁コイルユニット３０に通電されない状態にあっては、弁ユニット１００はコイルスプリング６０によって、シート部材２０の弁座２２から離れており、開弁状態となる。この状態においては、冷媒は弁室１２を通ってパイプＰ１とパイプＰ２の間で自由に流れることができる。
【００１６】
電磁コイルユニット３０に通電されると、コイル３２が発生させる磁力を受けて吸引子５０が磁化され、プランジャ７０をコイルスプリング６０のバネ力に抗して吸引子５０に引き寄せる。
この作用によって、弁ユニット１００の弁部１１４が弁座２２に当接され、閉弁状態となる。
【００１７】
空調装置が冷房サイクル状態であって、いわゆるドライ運転を行う際には、この電磁弁は閉弁する。
本発明の電磁弁にあっては、この閉弁状態にあっても、少量の冷媒を通過させる流路を備えるが、この冷媒の通過音を低減させ、冷媒に含まれる異物による詰まりを防止するものである。
【００１８】
図２は、弁ユニット１００の弁部を示す拡大図、図３は部品図である。
弁ユニット１００は、金属シャフトでつくられる弁体１１０を有する。弁体１１０の下端部は大径部１１７を有し、先端はテーパー状の弁部１１４に形成される。
弁体１１０は内径部１１２を有し、小径の横穴部１１６を介して弁体１１０の外周の環状溝部１１５に連通される。横穴部１１６は例えば、８個設けられる。内径部１１２には、第１の円盤状フィルタ１４０が挿入される。このフィルタ１４０は、例えば発泡金属でつくられる。
【００１９】
このフィルタ１４０に対して、受け部材１５０と受け部材１５０に挿入されるテーパー部材１６０が当接される。
受け部材１５０は、小径穴１５１から大径穴１５３までテーパー状に拡がるテーパー穴１５４を有し、テーパー穴１５４に例えば８本のＶ字溝１５２が形成される。このＶ字溝は冷媒の絞り通路として機能する。
【００２０】
テーパー部材１６０は、小径部１６１とテーパー部１６２と円筒部１６３と大径部１６４を有し、大径部１６４の端面に第２の円盤状フィルタ１７０が当接され、弁体１１０の先端に形成したリング状溝１１３ａによって生成される薄肉部１１３にカシメ部Ｋ１を形成して、フィルタ１４０、受け部材１５０、テーパー部材１６０、フィルタ１７０が固定される。
このカシメ構造によって、カシメによる歪みの影響が弁部１１４に及ぶことが防止され、弁部１１４の平滑な表面状態が保たれ、良好な閉弁作用を奏する。
【００２１】
弁体１１０の大径部１１７の外側には、円筒状のフィルタ１２０が嵌合される。円筒状フィルタ１２０の内径部１２２は、弁体１１０の大径部１１７に嵌合される寸法を有し、発泡金属でつくられる。円筒状フィルタ１２０の上部には、ワッシャ１３０が重ねられ、弁体１１０の段付部１１８にポンチによるカシメ部Ｋ３を形成することにより、円筒状フィルタ１２０とワッシャ１３０は固定される。
【００２２】
次に、閉弁状態にある弁ユニット１００を通過する冷媒の作用を説明する。
パイプＰ１から弁室１２に流入した冷媒は、円筒状フィルタ１２０を外側から内側に向けて通過する。この間に冷媒中の異物、ゴミは除去され、二相冷媒の中に含まれる気泡は、微細化され、分散される。
【００２３】
環状溝１１５から横穴１１６を通過した冷媒は、第１の円盤状フィルタ１４０の外周部から中心部に向けて流れる。この間に、微細化された気泡は、その状態が保たれる。受け部材１５０の小径穴から入る冷媒は、Ｖ字溝１５２が形成する絞り部を通過する。この絞り部を通過する冷媒中の気泡は、衝突が防止され、衝突音の発生が防止される。
【００２４】
受け部材１５０の大径穴１５３を出た冷媒は、テーパー部材１６０の円筒部１６３の外周を流れて第２の円盤状フィルタ１７０に入り、円盤状フィルタ１７０を通過する間に、絞り部のＶ字溝を通過して膨張した気泡は微細に分散される。この作用によって、気泡の破裂音や衝突音の発生は防止される。
円盤状フィルタ１７０を通過した冷媒は、パイプＰ２側へ送られる。
【００２５】
図４は、本発明の他の実施例を示す説明図である。
全体を符号２００で示す弁ユニットは、シャフト状の弁体２１０を有し、弁体２１０の内部には、第１の円盤状フィルタ２４０が挿入される。円盤状フィルタ２４０に重ねられるテーパー部材２６０は、大径部２６４側が円盤状フィルタ２４０に当接される。テーパー部材２６０に嵌合される受け部材２５０は、大径穴２５３から小径穴２５１に通ずるＶ字溝２５２を有する。受け部材２５０の小径穴２５１側に当接される第２の円盤状フィルタ２７０は、弁体２１０に形成したリング状溝２１３ａによって生成される薄肉部２１３にカシメ部Ｋ１を形成することで弁体２１０に固定される。
【００２６】
弁体２１０の大径部２１７の外周部に嵌合される円筒状フィルタ２２０は、ワッシャ２３０を介して弁体２１０の段付部２１８にカシメ部Ｋ３を形成することで固定される。
【００２７】
弁ユニット２００の外側から円筒状フィルタ２２０に入った冷媒は、フィルタ２２０を通過する間に置物やゴミは除去される。冷媒中の気泡は微細化されて、弁体２１０の環状溝２１５から横穴２１６を通過し、第１の円盤状フィルタ２４０に流入する。円盤状フィルタ２４０を通過した冷媒は、テーパー部材２６０、円筒部２６３の外周部に案内されて、受け部材２５０大径穴２５３から絞り部として作用するＶ字溝２５２を通過して小径穴２５１へ流れる。
【００２８】
小径穴２５１から第２の円盤状フィルタ２７０に入った冷媒は、円盤状フィルタ２７０を通過してパイプＰ２側へ送られる。
本実施例の弁ユニット２００にあっても、冷媒中の気泡は微細化されると共に、破裂、衝突は防止され、騒音は低減する。
【図面の簡単な説明】
【００２９】
【図１】本発明の電磁弁の全体構成を示す説明図。
【図２】本発明の電磁弁の弁ユニットの詳細を示す説明図。
【図３】本発明の電磁弁の弁ユニットの部品構成を示す説明図。
【図４】本発明の電磁弁の他の弁ユニットの詳細を示す説明図。
【符号の説明】
【００３０】
１  電磁弁
１０  弁本体
２０  シート部材
３０  電磁コイルユニット
５０  吸引子
６０  コイルスプリング
７０  プランジャ
１００  弁ユニット
１１０  弁体
１２０  円筒状フィルタ
１４０  第１の円盤状フィルタ
１５２  絞り通路（Ｖ字溝）
１７０  第２の円盤状フィルタ
【図１】
2006010245.tif 000003
【図２】
2006010245.tif 000004
【図３】
2006010245.tif 000005
【図４】
2006010245.tif 000006